(57)【要約】      （修正有）【課題】荷重の集中による破損と長尺物品の下向きへの引き出しによる側板の振動を防止する。【解決手段】一対の支柱１に対して一対の側板２がそれぞれ着脱自在に取り付けられ、これら側板２に亘って一対の支持棒３がほぼ平行に横架され、支柱１に対し側板２の底面２ｃに沿って突出する棚板４を着脱自在に横架し、棚板４の載置面４ａを側板２の底面２ｃが当接するように配置するとともに、載置面４ａ上に側板２を載せて支持し、一対の支持棒３には、長尺物品Ｃを巻いたボビンＢが載せられることにより、ボビンＢ及び長尺物品Ｃの重量が、支持棒３を介して両側板２と支柱１との取り付け部分で受けられると同時に、両側板２を介して棚板４と支柱１との取り付け部分で受けられ、支柱１への荷重が両側板２と棚板４に分散され、また、ボビンＢから長尺物品Ｃが下向きに引き出されて、側板２の先端側が下方に引っ張られても、棚板４との当接により振動不能に保持する。【選択図】図１
2011245138.tif 000002
【特許請求の範囲】
【請求項１】
並列状に立設される一対の支柱（１）と、
これら支柱（１）に対してそれぞれ着脱自在に取り付けられる一対の側板（２）と、
これら側板（２）に亘ってほぼ平行に横架され、且つ長尺物品（Ｃ）を巻いたボビン（Ｂ）が載せられる一対の支持棒（３）と、
前記支柱（１）に対し着脱自在に横架され、且つ前記側板（２）の底面（２ｃ）に沿って突出する棚板（４）とを備え、
前記棚板（４）の載置面（４ａ）を前記側板（２）の底面（２ｃ）と当接するように配置し、該載置面（４ａ）上に前記側板（２）を載せて支持したことを特徴とする陳列什器。
【請求項２】
前記棚板（４）における前記支柱（１）からの突出長さが、前記側板（２）における前記支柱（１）からの突出長さと同等又はそれよりも長くなるように取り付けたことを特徴とする請求項１記載の陳列什器。
【請求項３】
前記ボビン（Ｂ）の傾きや倒れを防止するための倒れ防止手段（６）として、前記側板（２）に前記ボビン（Ｂ）の中心部（Ｂ１）へ向け部分突出する突起部（６ａ）を突設したことを特徴とする請求項１又は２記載の陳列什器。
【発明の詳細な説明】
【技術分野】
【０００１】
本発明は、例えばホースやチューブ又はロープなどの長尺物品が巻かれたボビンを陳列するための陳列什器に関する。
【背景技術】
【０００２】
従来、この種の陳列什器として、支柱が、鉛直方向に延びて複数のスリットを設けた一対の縦柱と、これらスリットのうち任意のスリットに引っ掛けるように設置される水平バーとを用いて構成され、横長の長方形に形成される一対の側板に、支柱に取り付けられた際に鉛直方向に延びる辺と取付部材を設け、これら取付部材を水平バーに引っ掛けると同時に、該取付部材より下部の鉛直方向に延びる辺に形成される突起部の底辺を別の水平バーに載置することで支柱に取り付けられ、これら一対の側板に亘って、第１の支持棒（前方バー）と第２の支持棒（後方バー）の両端が支持され、このほぼ平行な支持棒の上にボビンを回転可能に載置して、ボビンに巻かれた長尺物品を必要な長さだけ引き出して販売するものがある（例えば、特許文献１参照）。
さらに、取付部材の変形例として、水平バーを用いずに、側板において鉛直方向に延びる辺の上下２箇所に取付部材が形成され、これら上下２箇所に取付部材を、縦柱のスリットにそれぞれ引っ掛けることで、支柱に取り付けられている。
また、一対の側板には、鉛直上方に延びる突出部が形成され、これら突出部に収容溝を形成して、ボビンの落下を防止するための落下防止バーが着脱自在に横架され、ボビンを陳列什器に載せる時には落下防止バーを取り外すようにしている。
【先行技術文献】
【特許文献】
【０００３】
【特許文献１】特開２００６−２２３７１３号公報
【発明の概要】
【発明が解決しようとする課題】
【０００４】
しかし乍ら、このような従来の陳列什器では、横長長方形の側板がその鉛直の延びる短辺のみを支柱に対して取り付ける片持ち状態でボビンが支持されるため、一対の支持棒にボビンを載せると、それによる荷重が側板の短辺と支柱との狭い領域に集中して、これら側板と支柱の取り付け部分が破損するおそれがあるという問題があった。
さらに、購入者がボビンから長尺物品を引き出す際は、ボビンが購入者の手よりも高く載置されると、長尺物品の引き出し方向が斜め下方などの下向きになるため、長尺物品を下向きに引き出す度に、前方の支持棒に下向きの荷重が追加されて、側板と支柱との取り付け部分が更に破損し易くなるとともに、側板の先端側が下方に引っ張られることで振動し、それにより、ボビンの載置が不安定になってボビンが落下したり、側板が支柱の水平バーから外れるおそれがあり危険であるという問題もあった。
このように載置されたボビンの落下を防止するために落下防止バーを備えているが、落下防止バーは、側板の収容溝に対して着脱自在に支持され、ボビンを陳列什器に載せる作業時には取り外す必要があるため、ボビンを載せた後に落下防止バーの装着を忘れる可能性もあり、ボビンの落下を完全に防止することはできなかった。
【０００５】
本発明は、このような問題に対処することを課題とするものであり、荷重の集中による破損と長尺物品の下向きへの引き出しによる側板の振動を共に防止すること、側板を安定させて長尺物品の下向きへの引き出しによる振動を確実に防止すること、ボビンの倒れ防止手段を軽量化すること、などを目的とするものである。
【課題を解決するための手段】
【０００６】
このような目的を達成するために本発明は、並列状に立設される一対の支柱と、これら支柱に対してそれぞれ着脱自在に取り付けられる一対の側板と、これら側板に亘ってほぼ平行に横架され、且つ長尺物品を巻いたボビンが載せられる一対の支持棒と、前記支柱に対し着脱自在に横架され、且つ前記側板の底面に沿って突出する棚板とを備え、前記棚板の載置面を前記側板の底面と当接するように配置し、該載置面上に前記側板を載せて支持したことを特徴とする。
【０００７】
前述した特徴に加えて、前記棚板における前記支柱からの突出長さが、前記側板における前記支柱からの突出長さと同等又はそれよりも長くなるように取り付けたことを特徴とする。
【０００８】
さらに前述した特徴に加えて、前記ボビンの傾きや倒れを防止するための倒れ防止手段として、前記側板に前記ボビンの中心部へ向け部分突出する突起部を突設したことを特徴とする。
【発明の効果】
【０００９】
前述した特徴を有する本発明は、一対の支柱に対して一対の側板がそれぞれ着脱自在に取り付けられ、これら側板に亘って一対の支持棒がほぼ平行に横架され、支柱に対し側板の底面に沿って突出する棚板を着脱自在に横架し、棚板の載置面を側板の底面が当接するように配置するとともに、載置面上に側板を載せて支持し、一対の支持棒には、長尺物品を巻いたボビンが載せられることにより、ボビン及び長尺物品の重量が、支持棒を介して両側板と支柱との取り付け部分で受けられると同時に、両側板を介して棚板と支柱との取り付け部分で受けられ、支柱への荷重が両側板と棚板に分散され、また、ボビンから長尺物品が下向きに引き出されて、側板の先端側が下方に引っ張られても、棚板との当接により振動不能に保持されるので、荷重の集中による破損と長尺物品の下向きへの引き出しによる側板の振動を共に防止することができる。
その結果、ボビンによる支柱への荷重が片持ち状態の側板と支柱との取り付け部分に集中する従来のものに比べ、支柱との取り付け部分を補強することがなく、長期に亘り使用できて経済的であるとともに、ボビンの載置が安定してボビンが落下し難くなり、安全性が向上する。
【００１０】
さらに、前記棚板における前記支柱からの突出長さが、前記側板における前記支柱からの突出長さと同等又はそれよりも長くなるように取り付けた場合には、側板の底面全体が棚板の載置面上で支持されるので、側板を安定させて長尺物品の下向きへの引き出しによる振動を確実に防止することができる。
その結果、安全性が更に向上する。
【００１１】
また、前記ボビンの傾きや倒れを防止するための倒れ防止手段として、前記側板に前記ボビンの中心部へ向け部分突出する突起部を突設した場合には、側板から部分突出する突起部をボビンに当接させることにより、ボビンが傾き難くなるように保持されるので、ボビンの倒れ防止手段を軽量化することができる。
その結果、支柱への荷重を軽減できてボビンの傾きや倒れを確実に防止することができる。
【図面の簡単な説明】
【００１２】
【図１】本発明の実施形態に係る陳列什器の斜視図で、落下防止バーが上動された状態を示している。
【図２】図１の中央から縦断した拡大側面図である。
【図３】落下防止バーが下動された状態を示す斜視図である。
【発明を実施するための形態】
【００１３】
以下、本発明の実施形態を図面に基づいて詳細に説明する。
本発明の実施形態に係る陳列什器Ａは、図１〜図３に示すように、並列状に立設される左右一対の支柱１と、これら支柱１に対してそれぞれ着脱自在に取り付けられる左右一対の側板２と、これら側板２に亘ってほぼ平行に横架され、且つ長尺物品Ｃを巻いたボビンＢが載せられる前後一対の支持棒３と、支柱１に対し着脱自在に横架される棚板４とを備えている。
【００１４】
支柱１は、一般にゴンドラ什器と呼ばれる什器などに用いられる縦柱１１などからなり、少なくとも２本以上の縦柱１１が左右方向へ所定間隔を置いて互いに平行に立設され、必要に応じて、これら縦柱１１の間に後壁パネル（図示しない）を挟み込むとともに、水平バー１２が架け渡され、後述する側板２、支持棒３及び棚板４などを組み付けることで什器本体Ａ１が構成される。
【００１５】
各支柱１の縦柱１１は、例えばスチールなどの材料で断面矩形状の角筒状又は円筒状若しくは断面コの字形などに形成され、その少なくとも前面１１ａには、後述する棚板４などを取り付けるために例えばスリットなどの係合凹部１１ｂが、上下方向へ所定間隔毎に複数形成されている。
その具体例としては、図１〜図３に示すように、縦柱１１の前面１１ａにその左右方向の中心線を挟んで係合凹部（スリット）１１ｂが左右方向に２列設けられ、上述した什器本体が左右方向に複数並べて配備される際に、一本の縦柱１１を挟んで隣り合う什器本体Ａ１に、棚板４などが同じ高さ位置に取り付けられるようにしている。
【００１６】
水平バー１２は、例えばスチールなどの材料で断面矩形状の角柱状又は断面円形状の円柱状などに形成される棒材であり、縦柱１１に対する取り付け例としては、水平バー１２の両端にブラケット１２ａを着脱自在に連結し、これらブラケット１２ａの基端面１２ｂに部分的に突出形成される係止凸部１２ｃを、縦柱１１の係合凹部１１ｂに嵌入して両者が着脱自在に係合されると同時に、基端面１２ｂを縦柱１１の前面１１ａに当接させることにより、縦柱１１に対して水平バー１２が上下方向へ調整可能な水平状に取り付けられる。
なお、その他の取り付け例として図示しないが、水平バー１２となる棒材の両端に取り付け部（図示しない）をそれぞれ一体形成し、これら取り付け部の基端面に部分的に突出形成される係止凸部を、縦柱１１の係合凹部１１ｂに嵌入して両者が着脱自在に係合されると同時に、基端面を縦柱１１の前面１１ａに当接させることにより、縦柱１１に対して水平バー１２を上下方向へ調整可能な水平状に取り付けることも可能である。
【００１７】
側板２は、図１〜図３に示すように、例えばスチールなどの材料で横長の長方形やその他の矩形状に形成され、支柱１の縦柱１１に対する取り付け例としては、その後端面を基端面２ａとしてその一部にフック２ｂを突設し、水平バー１２に対してフック２ｂを着脱自在に係合させることにより、側板２を左右方向へ調整移動自在に取り付けることが好ましい。
さらに、図２に示される例では、側板２の取り付け状態で、フック２ｂの内面を水平バー１２の上面１２ｄに当接させ、側板２の基端面２ａを水平バー１２の前面１２ｅに当接させるように配置している。その他の例として図示しないが、フック２ｂの内面と水平バー１２の上面１２ｄとの間、及び側板２の基端面２ａと水平バー１２の前面１２ｅとの間のいずれか一方又は両方に隙間を形成しても良い。
また、その他の取り付け例として図示しないが、側板２の基端面２ａに係止凸部を部分的に突出形成し、この係止凸部が縦柱１１の係合凹部１１ｂに嵌入されて両者を着脱自在に係合させると同時に、基端面を縦柱１１の前面１１ａに当接させることにより、側板２を縦柱１１に対して突出状に取り付けることも可能である。
【００１８】
支持棒３は、断面円形の中空状又は中実状の丸棒であり、左右一対の側板２の間に前後方向へ一対ほぼ平行に横架され、これら丸棒のいずれか一方又は両方を回転自在に支持することが好ましい。
各支持棒３の具体例としては、図１〜図３に示すように、芯棒３ａの外周に回転筒３ｂを回転自在に嵌挿し、芯棒３ａの両端を例えばネジなどの固着手段３ｃで左右の側板２にそれぞれ固定している。
さらに、回転筒３ｂを軸方向（左右方向）へ複数に分割し、これら分割筒を個別に回転自在に支持することにより、その上に複数のボビンＢが載せられて、そのいずれか一つのボビンＢからホースなどの長尺物品Ｃを引き出すことにより、該ボビンＢが回転しても他のボビンＢが回転しないようにしている。
また、各支持棒３の他の例として、左右の側板２に回転不能に支持し、その上に載置されるボビンＢの外周と点接触させることにより、長尺物Ｃの引き出しに伴ってボビンＢが摺動するように支持したり、ボビンＢのサイズに対応して、支持棒３のいずれか一方を着脱自在に取り付けて、両者の間隔を前後方向へ調整可能にすることも可能である。
【００１９】
棚板４は、例えばスチールなどの材料で形成され、用途に応じて奥行き寸法や幅（間口）寸法が異なるものが複数種類用意され、支柱１の縦柱１１に対する取り付け例としては、棚板４と別体又は一体に形成される棚受け５を用いることが一般的である。
棚受け５の基端面５ａには、係止凸部５ｂが部分的に突出形成され、この係止凸部５ｂを縦柱１１の係合凹部１１ｂに嵌入して両者が着脱自在に係合されると同時に、基端面５ａを縦柱１１の前面１１ａに当接させることにより、左右の縦柱１１に対して棚受け５の上面がほぼ水平状に突出するとともに上下方向へ調整可能に取り付けられる。
【００２０】
このように取り付けられた左右一対の棚受け５の上面に亘って棚板４を載置することにより、その載置面４ａが各側板２の底面２ｃに沿って突出するようにほぼ水平状に支持され、必要に応じて、これら棚受け５と棚板４との接触部分を前後方向へ係合させることにより、左右の棚受け５に対して棚板４が前後方向へ位置ズレ不能に取り付けられる。
なお、棚板４の取り付け例として、棚受け５を用いずに支柱１に対して着脱自在に取り付けることも可能である。
【００２１】
そして、棚板４の取り付け位置を、その載置面４ａが各側板２の底面２ｃと当接するように配置することにより、載置面４ａ上に側板２が載って支持されるようにしている。
さらに、棚板４として、その奥行き寸法が各側板２の奥行き寸法とほぼ同等又はそれよりも長いものを用い、棚板４における支柱１の前面１ａからの突出長さが、各側板２における支柱１の前面１ａからの突出長さと同等又はそれよりも長くなるように取り付けて、各側板２の底面２ｃ全体を棚板４の載置面４ａ上でそれぞれ支持することが好ましい。
【００２２】
このような本発明の実施形態に係る陳列什器Ａによると、支持棒３上に載せたボビンＢ及び長尺物品Ｃの重量が、支持棒３を介して一対の側板２と支柱１の縦柱１１との取り付け部分となる、フック２ｂと水平バー１２やブラケット１２ａの基端面１２ｂ、係止凸部１２ｃと縦柱１１の前面１１ａ、係合凹部１１ｂなどで受けられると同時に、一対の側板２を介して棚板４と縦柱１１との取り付け部分となる、棚受け５の基端面５ａ、係止凸部５ｂと縦柱１１の前面１１ａ、係合凹部１１ｂなどで受けられ、支柱１（縦柱１１）への荷重が一対の側板２と棚板４に分散され、その分だけ広い領域で受けることになる。
また、ボビンＢから長尺物品Ｃが斜め下方などの下向きに引き出されて、前方の支持棒３を配置した側板２の先端側が下方に引っ張られても、その底面２ｃと棚板４の載置面４ａとの当接により振動不能に保持される。
それにより、荷重の集中による部分的な破損防止と、長尺物品Ｃの下向きへの引き出しによる側板２の振動防止を共に達成することができる。
【００２３】
特に、棚板４における支柱１の縦柱１１の前面１１ａからの突出長さが、各側板２における縦柱１１の前面１１ａからの突出長さと同等又はそれよりも長くなるように取り付けて、各側板２の底面２ｃ全体を棚板４の載置面４ａ上でそれぞれ支持すると、側板２の安定性が向上して、長尺物品Ｃの下向きへの引き出しによる振動を確実に防止することができる。
【００２４】
また、左右一対の側板２には、ボビンＢの傾きや倒れを防止するための倒れ防止手段６と、前後一対の支持棒３上に載せられたボビンＢからホースなどの長尺物品Ｃを引き出す際にボビンＢの転がり落下を防止するための落下防止バー７を設けることが好ましい。
落下防止バー７としては、例えば特許第４０６６３４３号公報に記載されるように構成することが好ましい。
すなわち、ボビンＢの転がり落下を防止するための落下防止バー７は、平面コの字形に屈曲するように一対のブラケット７ａが連設され、このブラケット７ａを什器本体Ａ１となる側板２に対し、ボビンＢの支持部となる支持棒３より高い位置で長尺物Ｃの引き出しに伴いボビンＢが転がっても支える設置状態と、ボビンＢを持ち上げなくても取り出し可能な非設置状態とに亘り、支軸７ｂを中心として上下方向へ回動自在に支持し、設置状態ではブラケット７ａの係合面７ｃと、什器本体Ａ１となる側板２に固定されたピン７ｄの外周面とを長尺物Ｃの引き出し方向へ移動不能となるように圧接させ、またブラケット７ａを下方向へ回動させた非設置状態では、ブラケット７ａの係合面７ｃを、什器本体Ａ１となる側板２に固定されたピン７ｄの外周面から離して、ボビンＢの長尺物Ｃの引き出し方向にボビン交換用開口部Ｓが形成される。
次に、本発明の一実施例を図面に基づいて説明する。
【実施例】
【００２５】
この実施例は、図１〜図３に示すように、ボビンＢの傾きや倒れを防止するための倒れ防止手段６として、各側板２の前後方向の中間位置に、ボビンＢの中心部Ｂ１へ向け部分的に突出する突起部６ａが突設されるものである。
【００２６】
図１〜図３に示される例では、突起部６ａとして、例えば金属などからなる線材が、上端に平坦部分６ｂを有する略山形状に折り曲げ形成され、その両端部６ｂを例えば溶接などで各側板２に固着している。
また、その他の例として図示しないが、線材に代えて例えば網状板やパンチングメタルなどの軽量物であるが変形し難い部材を固着することも可能である。
【００２７】
このような本発明の実施例に係る陳列什器Ａによると、各側板２の前後方向の中間位置からボビンＢの中心部Ｂ１へ向け部分的に突出する突起部６ａが、ボビンＢの側面Ｂ２に当接することで、ボビンＢが傾き難くなるように保持されるため、ボビンＢの傾きや倒れを防止する倒れ防止手段６を軽量化できるという利点がある。
特に、図示例のように突起部６ａが線材や網状板やパンチングメタルなどのような軽量物で構成される場合には、更に軽量化できて、その分だけ支柱１への荷重を軽減できるという利点がある。
【００２８】
また、図１〜図３に示される例では、落下防止バー７が、平面コの字形に屈曲するように連設された一対のブラケット７ａの両端部に、支軸７ｂが遊嵌状に挿通する長孔７ｅと、什器本体Ａ１となる側板２に固定されたピン７ｄが出入りする切欠部７ｆを形成し、図１及び図２の実線に示す設置状態からブラケット７ａを長孔７ｅに沿って上方へ移動することにより、係合面７ｃとピン７ｄとの係合が解除され、その後、図２の二点鎖線に示すように、ブラケット７ａを支軸７ｂを中心として回動することにより、切欠部７ｆからピン７ｄが抜け出て、図３に示す非設置状態に向けて移動するように構成している。
さらに、落下防止バー７の左右方向の中間部７ｇには、例えばプライスカード（図示せず）などを保持するための透明なホルダー７ｈが、上下方向へ回動自在に支持され、それにより、購入者に対してプライスカードが見易くなる角度位置に調整可能としている。
このプライスカードには、ボビンＢに長尺物Ｃとして巻き付けた例えばホースの価格や特長、使用上の注意などが記載されている。
【００２９】
図示例では、図２の二点鎖線及び図３に示す非設置状態において、ホルダー７ｈが棚板４の先端と当接することで、落下防止バー７となるブラケット７ａを下方へ回動不能にしている。
また、その他の例として図示しないが、支柱１の縦柱１１の前面１１ａからの棚板４の突出長さが、縦柱１１の前面１１ａからの棚板４の突出長さと同等近く又はそれよりも短くなるようにした場合には、ブラケット７ａの両端部がピン７ｄにそれぞれ突き当たるまで下方へ回動し、ボビン交換用開口部Ｓが図示例に比べ更に下方へ大きくなって、ボビンＢの取り出しが容易になる。
【００３０】
なお、前示実施例では、ボビンＢの倒れ防止手段６として、各側板２の前後方向の中間位置に、ボビンＢの中心部Ｂ１へ向け部分的に突出する突起部６ａが突設される場合を示したが、これに限定されず、各側板２の上下寸法を高くすることでボビンＢの倒れを防止しても良い。
【符号の説明】
【００３１】
１  支柱                                ２  側板
２ｃ  底面                              ３  支持棒
４  棚板                                ４ａ  載置面
６  倒れ防止手段                        Ｂ  ボビン
Ｃ  長尺物品
【図１】
2011245138.tif 000003
【図２】
2011245138.tif 000004
【図３】
2011245138.tif 000005